【手続補正書】
【提出日】平成28年8月1日(2016.8.1)
【手続補正１】
【補正対象書類名】明細書
【補正対象項目名】００５１
【補正方法】変更
【補正の内容】
【００５１】
次に、図７Ａおよび７Ｂを参照して、穿孔可能なエラストマー片５０が詳細に説明される。エラストマー片５０は、全体として、縦軸Ｌを有する円柱の形状を有し、図８に示されているように針アクセスポート４４の中に収容されることが意図されている。示されていない他の実施形態では、エラストマー片が、全体として、立方体、角錐、または非円形のベースを有する円柱の形状を有することができる。それは、近位方向に開いた凹み５１、近位表面５２、遠位表面５３および外壁５４を備える。近位開口５１ａを有する凹み５１は、縦方向の内表面５１ｂと、中心突起５５を具備する底表面５１ｃとを備える。エラストマー片５０の近位表面５２は、凹み５１の中心に向かって遠位方向に、好ましくは縦軸Ｌに対して４５°から７５°の角度で傾けられており、面取り部５２ａ、このケースではブルノーズ（bull nose）によって縦方向の内表面５１ｂに接続されている。遠位表面５３は、遠位方向に延びる突き出た部分（以後、突出部分）５３ａを画定する。近位表面５２を遠位表面５３に接続する外壁５４は、近位ショルダ（shoulder）５７を画定する円形の溝５６を備え、この円形の溝とショルダはともに、図７Ｂに示されているように縦方向の壁５４の全周にわたって延びている。穿孔可能なエラストマー片５０が図８に示されているようにキャップ４０の中に組み付けられたときに、円形の溝５６は、針アクセスポート４４の半径方向の内ペグ４４ｅと係合することが意図されており、ショルダ５７は、針アクセスポート４４の当接表面４４ｄと接触することが意図されている。
【手続補正２】
【補正対象書類名】明細書
【補正対象項目名】００７１
【補正方法】変更
【補正の内容】
【００７１】
カバー６０は、ペグ６３ａがキャップ４０の切欠き４３ｄと係合しているとき、閉鎖されたその第１の位置に維持される。ペグ６３ａと切欠き４３ｄは、カバー６０の望ましくない回転を防止するロック手段の役目を果たす。したがって、カバー６０は、バイアル１が使用されていないときに、エラストマー片５０、したがってバイアル１のセプタム４を、塵埃および汚染から効率的に保護することを可能にする。
【手続補正３】
【補正対象書類名】明細書
【補正対象項目名】００８５
【補正方法】変更
【補正の内容】
【００８５】
実際に、横断壁４１、カバー６０およびヒンジ（４６、６６）を備える閉鎖システムを、片手で操作されることが意図された容器と一緒に、特に医療領域において使用することができ、さらに化粧品、食品または工業の分野においても使用することができる。図２〜１２Ｃの実施形態に基づく閉鎖システムは、容器上に装着されたアダプタにあるが、他の実施形態では、容器上に本発明の閉鎖システムを直接に統合することができ、したがって、装着ステップなしで「すぐに使用できる」容器を提供することができる。
【手続補正４】
【補正対象書類名】明細書
【補正対象項目名】００８９
【補正方法】変更
【補正の内容】
【００８９】
カバー６００は、キャップ４００の横断壁４１０の形状を実質的に有し、横断壁４１０に対して実質的に平行なシート６１０を備える。図２から１２Ｃに示されたアダプタ１０のカバー６０と同様に、シート６１０の近位面は、押進表面６２０と、図１３Ａおよび１３Ｂではスタッド６８０の形態の案内部材と、近位矢印６９０とを具備する。図１３Ａでは、カバー６００の遠位面が、３つのセグメントを含む不連続な円形のリム６４０ｄを具備し、リム６４０ｄは、閉鎖されたその第１の位置にカバー６００があるときにキャップ４００のアクセスポート４４０に面することが意図されている。シート６１０の遠位面は、湾曲したセグメント６５１および隅部のあるセグメント６５２にある突き出たリッジ６５０をさらに具備し、突き出たリッジ６５０は、円形のリム６４０ｄからオフセットされて配置されている。したがって、突き出たリッジ６５０は、カバーの閉鎖された第１の位置においてアクセスポートに面することが意図されたカバーの部分からオフセットされて配置されたカバー６００の遠位延長部分を画定する。突き出たリッジ６５０によって形成された遠位延長部分は、キャップ４００の横断壁４１０の遠位ロッジング４１１内に受け取られることができるように決められた形状および寸法を有する。突き出たリッジ６５０は、段４１３の縦方向のショルダ４１４と協力してカバー６００を閉鎖された位置に維持することが意図された横断ペグ６５３を具備することができる。
【手続補正５】
【補正対象書類名】特許請求の範囲
【補正対象項目名】全文
【補正方法】変更
【補正の内容】
【特許請求の範囲】
【請求項１】
片手で保持される容器用の閉鎖システム（１０；１００）であって、
スカート（４３）および横断壁（４１；４１０）を備え、前記横断壁（４１；４１０）はアクセスポート（４４）を具備するキャップ（４０；４００）と、
前記キャップに対して実質的に平行なカバー（６０；６００）であって、前記カバーを操作するために使用者によって使用されることが意図された案内部材（６８；６８０）を備えるカバー（６０；６００）と、
前記アクセスポート（４４）を閉鎖する第１の位置から、前記アクセスポート（４４）へのアクセスを与える第２の位置への、前記キャップ（４０）に対する前記カバー（６０）の平面回転を可能にするヒンジ（４６、６６）と
を備えることを特徴とする閉鎖システム（１０；１００）。
【請求項２】
前記ヒンジ（４６、６６）は、前記カバー（６０）から遠位方向に延びるシャフト（６６）と、前記横断壁（４１）に提供された隅部穴（４６）とを備えることを特徴とする請求項１に記載の閉鎖システム（１０；１００）。
【請求項３】
前記案内部材はスタッド（６８；６８０）であることを特徴とする請求項１または２に記載の閉鎖システム（１０；１００）。
【請求項４】
前記カバー（６０）は押進表面（６２；６２０）をさらに備えることを特徴とする請求項１乃至３のいずれか一項に記載の閉鎖システム（１０；１００）。
【請求項５】
前記ヒンジ（４６、６６）は、前記カバー（６０）の片側に配置されていることを特徴とする請求項１乃至４のいずれか一項に記載の閉鎖システム（１０）。
【請求項６】
前記ヒンジ（４６、６６）は、前記カバー（６０）の後部（６１ｃ）に配置されていることを特徴とする請求項１乃至５のいずれか一項に記載の閉鎖システム（１０）。
【請求項７】
前記カバー（６０）は押進表面（６２）をさらに備え、
前記押進表面（６２）は、前記カバー（６０）の前部（６１ａ）に配置されていることを特徴とする請求項６に記載の閉鎖システム（１０）。
【請求項８】
前記案内部材はスタッド（６８）であり、
前記スタッド（６８）は、前記カバー（６０）の後部（６１ｃ）に配置されていることを特徴とする請求項４乃至７のいずれか一項に記載の閉鎖システム（１０）。
【請求項９】
前記案内部材はスタッド（６８）であり、
前記スタッド（６８）は、前記カバー（６０）の第１の側に配置されており、前記ヒンジ（４６、６６）は、前記カバー（６０）の反対側の第２の側に配置されていることを特徴とする請求項４乃至８のいずれか一項に記載の閉鎖システム（１０）。
【請求項１０】
前記案内部材はスタッド（６８）であり、
前記カバー（６０）は押進表面（６２）をさらに備え、
前記押進表面（６２）および前記スタッド（６８）は、前記カバー（６０）の同じ第１の側に配置されていることを特徴とする請求項５乃至９のいずれか一項に記載の閉鎖システム（１０）。
【請求項１１】
時計回り回転だけまたは逆時計回り回転だけを許す一方向手段（６４ｂ、６４ｃ、４９ａ、４９ｂ、４９ｃ）をさらに備えることを特徴とする請求項１乃至１０のいずれか一項に記載の閉鎖システム（１０）。
【請求項１２】
前記一方向手段は、前記カバー（６０）に対して実質的に平行な可撓性の脚（６４ｂ）に配置された歯（６４ｃ）と、前記横断壁４１上に配置された３つの開口（４９ａ、４９ｂ、４９ｃ）とを備えることを特徴とする請求項１１に記載の閉鎖システム（１０）。
【請求項１３】
閉鎖された位置に前記カバーを維持するロック手段（６３ａ、４３ｄ）をさらに備えることを特徴とする請求項１乃至１２のいずれか一項に記載の閉鎖システム（１０）。
【請求項１４】
前記ロック手段は、前記カバー（６０）の縦方向の延長部分（６３）上に配置されたペグ（６３ａ）と、前記スカート（４３）上に配置された切欠き（４３ｄ）とを備えることを特徴とする請求項１３に記載の閉鎖システム（１０）。
【請求項１５】
前記横断壁（４１）は、前記使用者が前記閉鎖システムを掴んだときに前記使用者の人差し指をブロックすることが意図された後延長部分（４１ｂ）を備えることを特徴とする請求項１乃至１４のいずれか一項に記載の閉鎖システム（１０）。
【請求項１６】
前記カバー（６００）がその第２の位置にあるときに、前記カバー（６００）の前記第１の位置において前記アクセスポート（４４０）に面することが意図された前記カバー（６００）の部分（６４０ｄ）と前記使用者の手との間の接触を防ぐ保護手段（４１０、４１１、４１２、４１３、６５０）をさらに備えることを特徴とする請求項１乃至１５のいずれか一項に記載の閉鎖システム（１００）。
【請求項１７】
前記保護手段は、前記カバー（６００）の遠位面上に配置された突き出たリッジ（６５０）を含み、前記突き出たリッジ（６５０）は、前記カバー（６００）の前記第１の位置において前記アクセスポート（４４０）に面することが意図された前記カバーの前記部分（６４０ｄ）からオフセットされており、前記突き出たリッジは、前記カバー（６００）の遠位延長部分を画定することを特徴とする請求項１６に記載の閉鎖システム（１００）。
【請求項１８】
前記保護手段は、前記キャップ（４００）の前記横断壁（４１０）上に設計された段（４１３）をさらに含み、前記段は、前記横断壁を、前記アクセスポート（４４０）が配置された近位部（４１２）と、前記アクセスポートからオフセットされた遠位ロッジング（４１１）とに分離し、前記遠位ロッジングは、前記カバーがその第１の位置にあるときに前記カバー（６００）の前記遠位延長部分を受け取ることができるように決められた形状および寸法を有することを特徴とする請求項１７に記載の閉鎖システム（１００）。